(57)【要約】【課題】  バリアフリー規格に適合し、且つ、レール敷設溝からの浮き上がりを防止することができる戸車用レールを提供すること。【解決手段】  レール本体上面に戸車車輪が転動する戸車転動溝を形成し、レール本体上端に左右に延びるフランジを形成した左右に側片を有する断面形状が矩形状の戸車用レールにおいて、上記フランジの厚さを３ｍｍ以下とすると共に、左右両側片の外側面から０．１〜０．３ｍｍ突出するような突条を二段または二段以上複数段レール全長に亘って形成し、左右対応する突条の頂点間の間隔を最下段の突条から上段の突条に向かうに従って順次大きくしたことを特徴とする。【選択図】        図１
2006214253.tif 000002
【特許請求の範囲】
【請求項１】
レール本体上面に戸車車輪が転動する戸車転動溝を形成し、レール本体上端に左右に延びるフランジを形成した左右に側片を有する断面形状が矩形状の戸車用レールにおいて、上記フランジの厚さを３ｍｍ以下とすると共に、左右両側片の外側面から０．１〜０．３ｍｍ突出するような突条を二段または二段以上複数段レール長手方向全長に亘って形成し、左右対応する突条の頂点間の間隔を最下段の突条から上段の突条に向かうに従って順次大きくしたことを特徴とする戸車用レール。
【請求項２】
請求項１記載の左右対応する突条の頂点間の間隔を最下段の突条から上段の突条に向かうに従って順次大きくする方法として、左右両側片の外側面から突出する突条の突出量を同じとし、両側片間の間隔を下方から上方に向かうに従い順次大きくしたことを特徴とする請求項１記載の戸車用レール。
【請求項３】
請求項１記載の左右対応する突条の頂点間の間隔を最下段の突条から上段の突条に向かうに従って順次大きくする方法として、左右両側片を平行なものとし、側片の外側面から突出する突条の突出量を下段から上段に向かうに従い順次大きくしたことを特徴とする請求項１記載の戸車用レール。
【請求項４】
請求項１記載の突条の断面形状を半円形または四分円形としたことを特徴とする請求項１記載の戸車用レール。
【発明の詳細な説明】
【技術分野】
【０００１】  本発明は、バリアフリー規格に適合し、且つ、レール敷設溝からの浮き上がりを防止することができる戸車用レールに関するものである。
【背景技術】
【０００２】
【特許文献１】  実開平２−７４４７９号公報
【発明の開示】
【発明が解決しようとする課題】
【０００３】  従来から、レールの左右上端にフランジを形成した戸車用レールとして実開平２−７４４７９号公報に記載される戸車用レールがある。【０００４】  この従来の戸車用レールにあっては、レールの左右上端にフランジを形成してレールをレール敷設溝に打ち込んだときにできるレール本体の両側面と溝の両側壁との間の隙間を隠すために考案されたもので、レール本体の両側面には鋸歯状の突条が形成してあるが、突条の尖端がレール本体の両側面から突出していないため、レール敷設溝の側壁に食い込む割合がきわめて小さく、レールの溝からの浮き上がりを防止する効果は殆どなかった。【０００５】  この従来の戸車用レールにおいては、突条をレール本体の両側面から突出させなかった理由は、突条の突出量が大きければレール敷設溝にレールを打ち込んだときに、レール敷設溝が割れる危険性あり、また、突条の突出量が小さければレールの溝からの浮き上がりを防止する効果は殆どないため、突条をレール本体の両側面から突出させず、レール本体の両側面に鋸状の溝を形成したようにしたものであった。【０００６】  即ち、この従来の戸車用レールにおける突条は係合手段としての機能は奏し得ず、単に材料費の軽減や装飾としての役割しかなく、レールの溝からの浮き上がりを防止する効果は殆どなかったため、別途に接着剤やネジ等でレールを固定する手段を講じる必要があった。
【発明の目的】
【０００７】  本発明は、バリアフリー規格に適合し、且つ、レール敷設溝からの浮き上がりを防止することができる戸車用レールを提供することを目的とするものである。
【課題を解決するための手段】
【０００８】  本発明に係る戸車用レールは、請求項１に記載する通り、レール本体上面に戸車車輪が転動する戸車転動溝を形成し、レール本体上端に左右に延びるフランジを形成した左右に側片を有する断面形状が矩形状の戸車用レールにおいて、上記フランジの厚さを３ｍｍ以下とすると共に、左右両側片の外側面から０．１〜０．３ｍｍ突出するような突条を二段または二段以上複数段レール全長に亘って形成し、左右対応する突条の頂点間の間隔を最下段の突条から上段の突条に向かうに従って順次大きくしたことを特徴とするものである。
【０００９】  また、請求項２に記載する戸車用レールは、左右対応する突条の頂点間の間隔を最下段の突条から上段の突条に向かうに従って順次大きくする方法の具体例であって、請求項１に記載の戸車用レールにおいて、左右両側片の外側面から突出する突条の突出量を同じとし、両側片間の間隔を下方から上方に向かうに従い順次大きくしたことを特徴とするものである。
【００１０】  更に、請求項３に記載する戸車用レールは、左右対応する突条の頂点間の間隔を最下段の突条から上段の突条に向かうに従って順次大きくする方法の具体例であって、請求項１に記載の戸車用レールにおいて、左右両側片を平行なものとし、側片の外側面から突出する突条の突出量を下段から上段に向かうに従い順次大きくしたことを特徴とするものである。
【発明の作用】
【００１１】  本発明では、レールをレール敷設に叩き込むときに、左右対応する突条の頂点間の間隔が最も小さい最下段の突条から順次左右対応する突条の頂点間の間隔が大きくなる突条によって徐々にレール敷設溝の側壁の木の繊維を潰しながらレールが溝内に侵入することになるから、レール敷設溝を割ることなく溝内に嵌合し、突条の溝側壁への食い込みによってレールのレール敷設溝からの浮き上がりが防止される。
【実施例】
【００１２】  図１は、請求項２に記載の本発明に係る戸車用レールの拡大側面図、図２は、請求項３に記載の本発明に係る戸車用レールの拡大側面図、図３は、同戸車用レールの敷設作業途中の状態を表わす一部縦断側面図、図４は、同戸車用レールの敷設完了状態を表わす一部縦断側面図である。【００１３】  図において、１は、上面に戸車車輪が転動する戸車転動溝を形成し、レール本体上端に左右に延びるフランジ２、２を形成した左右に側片３、３を有する断面形状が矩形状で、レール幅が９〜１２ｍｍの戸車用レールである。【００１４】  図１の場合、戸車用レール１の側片３、３は下方に向かうに従って徐々に側片３、３間の間隔が狭くなるように成形してあり、側片３、３の下端にはレール敷設溝に打ち込み易いようにテーパー面３−１、３−１が形成してある。【００１５】  例えば、レール敷設溝の幅を１２ｍｍとするならば、レール１の側片３上端の左右両外側面間の間隔ｘを１２．２ｍｍとし、左右のテーパー面３−１、３−１の上端同士の間隔ｙが１１．７〜１２．０ｍｍとなるように成形するのが好ましい。【００１６】  ４（４−１、４−２、４−３）は、左右両側片３、３の外側面から突出するように形成された断面半円形の突条であって、レールの長手方向全長に亘って形成されており、この突条は左右に少なくとも二段でもよいが、実施例のように三段若しくはそれ以上設けるのが好ましい。【００１７】  図１の場合、側片３の側面からの突条４の突出量は全て同じにしてあるが、上述のように両側片３、３は下方に向かうに従って徐々に側片３、３間の間隔が狭くなるように成形してあるので、最下段の突条４−１、突条４−１の頂点間の間隔をａ、下から２段目の突条４−２、突条４−２の頂点間の間隔をｂ、最上段の突条４−３、突条４−３の頂点間の間隔をｃとすれば、ａ＜ｂ＜ｃとなるように、最下段の突条４−１から上段の突条４−２、４−３に向かうに従って対応する突条の頂点間の間隔が大きくなっている。【００１８】  例えば、レール１の側片３上端の左右両外側面間の間隔ｘを１２．２ｍｍとした場合、具体的には最下段の突条４−１、突条４−１の頂点間の間隔ａ、下から２段目の突条４−２、突条４−２の頂点間の間隔ｂ、最上段の突条４−３、突条４−３の頂点間の間隔ｃをそれぞれ１２．３ｍｍ、１２．５ｍｍ、１２．８ｍｍとしてある。【００１９】  図２の場合、左右両側片３、３を平行即ち左右両側片間の間隔を上方から下方迄同じとしてあるが、最下段の突条４−１から上段の突条４−２、４−３向かうに従って側片３、３の外側面から突出する突条の突出量を下段から上段に向かうに従い順次大きくしたもので、結果として図１の場合と同じく最下段の突条４−１、突条４−１から上段の突条４−２，４−３に向かうに従って対応する突条の頂点間の間隔が大きくなるようにしてある。【００２０】  上記した突条４の個々の突出量は０．１ｍｍ以下ではレール敷設溝の側壁との食い込みが浅くて殆ど効果がなく、また、０．３ｍｍ以上ではレール敷設溝の幅が元の幅に戻らないため、この突条３の突出量を０．１〜０．３ｍｍと限定したが、突条４の断面形状は四分円形その他形状であってもよく、実施例の断面半円形に限るものではない。【００２１】    図中、Ｆは、充分乾燥された木製の床材であって、その床材Ｆにレールの高さと同じ深さで、レール幅よりも若干狭い幅のレール敷設溝Ｆ−１が形成されている。【００２２】  次に、本発明に係る戸車用レールの敷設方法並びにその作用を具体的に説明する。【００２３】  先ず、床材Ｆのレール敷設個所にレールの高さと同じ深さで、突条のない場合のレール幅（以下単にレール幅という）よりも若干狭い幅のレール敷設溝Ｆ−１を形成しておく。溝幅はレール幅よりも０．１〜０．４ｍｍ狭いのが好ましい。【００２４】  次に、図３のようにレール１をレール敷設溝Ｆ−１の上方から差し入れ当て板を介してハンマーで叩き込むと、先ずレール側片３、３の、頂点間の間隔が最も小さい最下段の突条４−１、４−１がレール敷設溝Ｆ−１の側壁の入口表面の木の繊維を僅かに潰しながらレール１は溝内に侵入し、侵入が進むと頂点間の間隔が少し大きくなった下から２段目の突条４−２、４−２が最下段の突条４−１、４−１で潰す場合よりも側壁の木の繊維を大きく潰し、更に、侵入が進むと頂点間の間隔が更に大きくなった最上段の突条４−３、４−３が下から２段目の突条４−２、４−２で潰す場合よりも側壁の木の繊維を大きく潰しながら溝内に嵌入する。【００２５】    以上のように、頂点間の間隔が上段に向かうに従って徐々に大きくなる突条４・・・４によってレール敷設溝Ｆ−１の側壁を徐々に大きく潰しながらレール１がレール敷設溝Ｆ−１に嵌合するので、レール敷設溝Ｆ−１が割れるようなことがないものである。【００２６】  この状態で時間が経過すると潰された側壁の木の繊維が延びて元の状態に戻ろうとして、図４のように突条４・・・４を含めレール両側面を包み込んだ状態即ち突条４・・・４がレール敷設溝Ｆ−１の側壁に食い込んだ状態となるが、水で濡らした布等で拭く等してレール敷設溝Ｆ−１を湿らせてやると木の繊維は直ぐに膨張して元の状態に戻ろうとするので、時間の短縮に効果的である。【００２７】  木の繊維は乾燥することにより硬化するので、レール１の突条４・・・４がレール敷設溝Ｆ−１の側壁に埋め込まれた状態となり、上方への自由度がなくなって、レール１が敷設溝Ｆ−１から浮き上がることがなくなる。
【発明の効果】
【００２８】  以上述べたように、本発明に係る戸車用レールによれば、レール本体上面に戸車車輪が転動する戸車転動溝を形成し、レール本体上端に左右に延びるフランジを形成した左右に側片を有する断面形状が矩形状の戸車用レールにおいて、上記フランジの厚さを３ｍｍ以下とすると共に、左右両側片の外側面から０．１〜０．３ｍｍ突出するような突条を二段または二段以上複数段レール全長に亘って形成し、左右対応する突条の頂点間の間隔を最下段の突条から上段の突条に向かうに従って順次大きくしたものであるから、レールをレール敷設溝に叩き込むときに、左右対応する突条の頂点間の間隔が最も小さい最下段の突条から順次左右対応する突条の頂点間の間隔が大きくなる突条によって徐々にレール敷設溝の側壁の木の繊維を潰しながらレールが溝内に侵入することになるため、レール敷設溝を割ることなく溝内に嵌合し、突条の溝側壁への食い込みによってレールのレール敷設溝からの浮き上がりを防止できるものである。
【００２９】  また、レール本体上端に左右に延びるフランジを形成してあるので、レール敷設溝を床に掘るときに一部で溝幅に狂いが生じていても、また、レール敷設溝にレールを打ち込むとき、突条によって溝の側壁が潰されて木屑が生じるようなことがあってもフランジによって隠されて体裁がよく、レール敷設後の仕上げ作業を必要とせず、従来の戸車用レールのようにレール敷設後にレールを別途に固定する手段を講じる必要がないことと相俟ってレール敷設作業の能率化が図れるものである。
【００３０】  更に、本発明のように床面から突出するレール本体上端に左右に延びる床面から突出するフランジが形成してあっても、フランジの厚さを３ｍｍ以下としてあるので、バリアフリー規格には適合し、実施例のようにフランジを先細にし、上面をテーパー状にしておけば更に安全性が確保できるものである。
【図面の簡単な説明】
【００３１】
【図１】  請求項２に記載の本発明に係る戸車用レールの拡大側面図である。
【図２】  請求項３に記載の本発明に係る戸車用レールの拡大側面図である。
【図３】  同戸車用レールの敷設作業途中の状態を表わす一部縦断側面図である。
【図４】  同戸車用レールの敷設完了状態を表わす一部縦断側面図である。
【符号の説明】
【００３２】  １          レール本体
２          フランジ
３          側片
４          突条
【図１】
2006214253.tif 000003
【図２】
2006214253.tif 000004
【図３】
2006214253.tif 000005
【図４】
2006214253.tif 000006